(57)【要約】【課題】  画像記録媒体とプリント生産物およびプリント収納袋が対応しているか否かの確認が容易で確実なプリント生産方法を提供する。【解決手段】  画像記録媒体の画像記録媒体識別情報とプリント収納袋のプリント収納袋識別情報とをそれぞれ関連付けて記憶する記憶工程と、前記画像記録媒体から画像記録媒体識別情報を、前記プリント収納袋からプリント収納袋識別情報をそれぞれ読み取る読取工程と、記憶された画像記録媒体識別情報と読み取られた画像記録媒体識別情報を比較し、また記憶されたプリント収納袋識別情報と読み取られたプリント収納袋識別情報を比較し、それぞれ一致しているか判断する判別工程と、を含むことを特徴とするプリント生産方法。【選択図】        図１４
2006349900.tif 000002
【特許請求の範囲】
【請求項１】
画像記録媒体の画像記録媒体識別情報とプリント収納袋のプリント収納袋識別情報とをそれぞれ関連付けて記憶する記憶工程と、
前記画像記録媒体から画像記録媒体識別情報を、前記プリント収納袋からプリント収納袋識別情報をそれぞれ読み取る読取工程と、
記憶された画像記録媒体識別情報と読み取られた画像記録媒体識別情報を比較し、また記憶されたプリント収納袋識別情報と読み取られたプリント収納袋識別情報を比較し、それぞれ一致しているか判断する判別工程と、
を含むことを特徴とするプリント生産方法。
【請求項２】
画像記録媒体の画像記録媒体識別情報とプリント生産物のプリント生産物識別情報とをそれぞれ関連付けて記憶する記憶工程と、
前記画像記録媒体から画像記録媒体識別情報を、前記プリント生産物からプリント生産物識別情報をそれぞれ読み取る読取工程と、
記憶された画像記録媒体識別情報と読み取られた画像記録媒体識別情報を比較し、また記憶されたプリント生産物識別情報と読み取られたプリント生産物識別情報を比較し、それぞれ一致しているか判断する判別工程と、
を含むことを特徴とするプリント生産方法。
【請求項３】
画像記録媒体の画像記録媒体識別情報とプリント収納袋のプリント収納袋識別情報とプリント生産物のプリント生産物識別情報とをそれぞれ関連付けて記憶する記憶工程と、
前記画像記録媒体から画像記録媒体識別情報を、前記プリント収納袋からプリント収納袋識別情報を、および前記プリント生産物からプリント生産物識別情報をそれぞれ読み取る読取工程と、
記録された画像記録媒体識別情報と読み取られた画像記録媒体識別情報を比較し、記録されたプリント収納袋識別情報と読み取られたプリント収納袋識別情報を比較し、また記録されたプリント生産物識別情報と読み取られたプリント生産物識別情報を比較し、それぞれ一致しているか判断する判別工程と、
を含むことを特徴とするプリント生産方法。
【請求項４】
前記判別工程において、一致していない場合は、一致していないことを警告する警告工程を含むことを特徴とする請求項１、２または３に記載のプリント生産方法。
【請求項５】
前記画像記録媒体、前記プリント収納袋、および前記プリント生産物に設けられた情報記録部は、ＩＣタグであることを特徴とする請求項１から４のいずれか１項に記載のプリント生産方法。
【請求項６】
画像記録媒体の画像記録媒体識別情報とプリント収納袋のプリント収納袋識別情報とをそれぞれ関連付けて記憶する記憶手段と、
前記画像記録媒体から画像記録媒体識別情報を、前記プリント収納袋からプリント収納袋識別情報をそれぞれ読み取る読取手段と、
記憶された画像記録媒体識別情報と読み取られた画像記録媒体識別情報を比較し、記憶されたプリント収納袋識別情報と読み取られたプリント収納袋識別情報を比較し、それぞれ一致しているか判断する判別手段と、
を備えたことを特徴とするプリント生産システム。
【請求項７】
画像記録媒体の画像記録媒体識別情報と、プリント生産物のプリント生産物識別情報とをそれぞれ関連付けて記録する記憶手段と、
前記画像記録媒体から画像記録媒体識別情報を前記プリント生産物からプリント生産物識別情報をそれぞれ読み取る読取手段と、
記憶された画像記録媒体識別情報と読み取られた画像記録媒体識別情報を比較し、記憶されたプリント生産物識別情報と読み取られたプリント生産物識別情報を比較し、それぞれ一致しているか判断する判別手段と、
を備えたことを特徴とするプリント生産システム。
【請求項８】
画像記録媒体の画像記録媒体識別情報と、プリント収納袋のプリント収納袋識別情報と、プリント生産物のプリント生産物識別情報とをそれぞれ関連付けて記録する記憶手段と、
前記画像記録媒体から画像記録媒体識別情報を、前記プリント収納袋からプリント収納袋識別情報を、および前記プリント生産物からプリント生産物識別情報をそれぞれ読み取る読取手段と、
記録された画像記録媒体識別情報と読み取られた画像記録媒体識別情報を比較し、記録されたプリント収納袋識別情報と読み取られたプリント収納袋識別情報を比較し、また記録されたプリント生産物識別情報と読み取られたプリント生産物識別情報を比較し、それぞれ一致しているか判断する判別手段と、
を備えたことを特徴とするプリント生産システム。
【請求項９】
前記判別手段において一致していない場合は警告する警告手段を備えたことを特徴とする請求項６、７または８に記載のプリント生産システム。
【請求項１０】
前記画像記録媒体、前記プリント収納袋、および前記プリント生産物のそれぞれの情報記録部は、ＩＣタグであることを特徴とする請求項６から９のいずれか１項に記載のプリント生産システム。
【請求項１１】
前記ＩＣタグは、メモリセルが半導体不揮発メモリ、強誘電体メモリ、または磁気メモリであることを特徴とする請求項１０に記載のプリント生産システム。
【発明の詳細な説明】
【技術分野】
【０００１】
本発明は、顧客からプリント注文を受けプリント生産を行うプリント生産方法、およびプリント生産システムに関する。
【背景技術】
【０００２】
従来、顧客からプリント注文を受けて写真、ポストカード等のプリント生産物を生産するプリント生産システムの技術が開示されている（特許文献１参照）。
【特許文献１】特開２００２−３５４３８４号公報
【発明の開示】
【発明が解決しようとする課題】
【０００３】
しかしながら、背景技術に開示されているのは、顧客の目前で画像記録媒体（メモリカードともいう）の画像をすべて読み取り、予め用意したメモリ部に格納し、読み取り後に、画像記録媒体は直ちに顧客に返却するシステムを前提としている。そのため、顧客のメモリカードを取り違えるという問題はないが、メモリカードの画像をすべて読みとるまでには顧客はその場を離れることができない。特に、近年、デジタルカメラの画素数の増加が著しく、１駒あたりの画像データ容量が大きくなると、メモリカードからの画像データの読み取りに長い時間を要し、顧客が集中する時間帯においては、待ち時間が長くなってしまう事態が想定される。
【０００４】
一方、そのような問題を解決するため、顧客が持参したメモリカードを、一旦預かり、後で、例えば、出来上がったプリント生産物と一緒に返却する方法を適用している店舗等が知られている。そのような、店舗においては、単に、顧客名を記載した袋にメモリカードを入れる等の管理しか行われておらず、顧客のメモリカードを取り違えやすいという問題があった。
【０００５】
本発明は、画像記録媒体（メモリカード）、プリント生産物およびプリント収納袋とが対応しているか否かの確認が容易で確実であり、画像記録媒体の取り違いを防止できるプリント生産方法およびプリント生産システムを提供することにある。
【課題を解決するための手段】
【０００６】
上記の目的は下記の手段により達成される。
【０００７】
（１）画像記録媒体の画像記録媒体識別情報とプリント収納袋のプリント収納袋識別情報とをそれぞれ関連付けて記憶する記憶工程と、前記画像記録媒体から画像記録媒体識別情報を、前記プリント収納袋からプリント収納袋識別情報をそれぞれ読み取る読取工程と、記憶された画像記録媒体識別情報と読み取られた画像記録媒体識別情報を比較し、また記憶されたプリント収納袋識別情報と読み取られたプリント収納袋識別情報を比較し、それぞれ一致しているか判断する判別工程と、を含むことを特徴とするプリント生産方法。
【０００８】
（２）画像記録媒体の画像記録媒体識別情報とプリント生産物のプリント生産物識別情報とをそれぞれ関連付けて記憶する記憶工程と、前記画像記録媒体から画像記録媒体識別情報を、前記プリント生産物からプリント生産物識別情報をそれぞれ読み取る読取工程と、記憶された画像記録媒体識別情報と読み取られた画像記録媒体識別情報を比較し、また記憶されたプリント生産物識別情報と読み取られたプリント生産物識別情報を比較し、それぞれ一致しているか判断する判別工程と、を含むことを特徴とするプリント生産方法。
【０００９】
（３）画像記録媒体の画像記録媒体識別情報とプリント収納袋のプリント収納袋識別情報とプリント生産物のプリント生産物識別情報とをそれぞれ関連付けて記憶する記憶工程と、前記画像記録媒体から画像記録媒体識別情報を、前記プリント収納袋からプリント収納袋識別情報を、および前記プリント生産物からプリント生産物識別情報をそれぞれ読み取る読取工程と、記録された画像記録媒体識別情報と読み取られた画像記録媒体識別情報を比較し、記録されたプリント収納袋識別情報と読み取られたプリント収納袋識別情報を比較し、また記録されたプリント生産物識別情報と読み取られたプリント生産物識別情報を比較し、それぞれ一致しているか判断する判別工程と、を含むことを特徴とするプリント生産方法。
【００１０】
（４）画像記録媒体の画像記録媒体識別情報とプリント収納袋のプリント収納袋識別情報とをそれぞれ関連付けて記憶する記憶手段と、前記画像記録媒体から画像記録媒体識別情報を、前記プリント収納袋からプリント収納袋識別情報をそれぞれ読み取る読取手段と、記憶された画像記録媒体識別情報と読み取られた画像記録媒体識別情報を比較し、記憶されたプリント収納袋識別情報と読み取られたプリント収納袋識別情報を比較し、それぞれ一致しているか判断する判別手段と、を備えたことを特徴とするプリント生産システム。
【００１１】
（５）画像記録媒体の画像記録媒体識別情報と、プリント生産物のプリント生産物識別情報とをそれぞれ関連付けて記録する記憶手段と、前記画像記録媒体から画像記録媒体識別情報を前記プリント生産物からプリント生産物識別情報をそれぞれ読み取る読取手段と、記憶された画像記録媒体識別情報と読み取られた画像記録媒体識別情報を比較し、記憶されたプリント生産物識別情報と読み取られたプリント生産物識別情報を比較し、それぞれ一致しているか判断する判別手段と、を備えたことを特徴とするプリント生産システム。
【００１２】
（６）画像記録媒体の画像記録媒体識別情報と、プリント収納袋のプリント収納袋識別情報と、プリント生産物のプリント生産物識別情報とをそれぞれ関連付けて記録する記憶手段と、前記画像記録媒体から画像記録媒体識別情報を、前記プリント収納袋からプリント収納袋識別情報を、および前記プリント生産物からプリント生産物識別情報をそれぞれ読み取る読取手段と、記録された画像記録媒体識別情報と読み取られた画像記録媒体識別情報を比較し、記録されたプリント収納袋識別情報と読み取られたプリント収納袋識別情報を比較し、また記録されたプリント生産物識別情報と読み取られたプリント生産物識別情報を比較し、それぞれ一致しているか判断する判別手段と、を備えたことを特徴とするプリント生産システム。
【発明の効果】
【００１３】
本発明によれば下記のような効果を奏する。
【００１４】
（１）、（４）に記載の発明によれば、記憶された画像記録媒体識別情報と読み取られた画像記録媒体識別情報を比較し、また記憶されたプリント収納袋識別情報と読み取られたプリント収納袋識別情報を比較し、それぞれ一致しているか判断するので、画像記録媒体（メモリカード）とプリント収納袋とが対応しているか否かの確認が容易で確実であり、画像記録媒体の取り違いを防止できる。
【００１５】
（２）、（５）に記載の発明によれば、記憶された画像記録媒体識別情報と読み取られた画像記録媒体識別情報を比較し、また記憶されたプリント生産物識別情報と読み取られたプリント生産物識別情報を比較し、それぞれ一致しているか判断するので、画像記録媒体（メモリカード）とプリント生産物とが対応しているか否かの確認が容易で確実であり、画像記録媒体の取り違いを防止できる。
【００１６】
（３）、（６）に記載の発明によれば、記録された画像記録媒体識別情報と読み取られた画像記録媒体識別情報を比較し、記録されたプリント収納袋識別情報と読み取られたプリント収納袋識別情報を比較し、また記録されたプリント生産物識別情報と読み取られたプリント生産物識別情報を比較し、それぞれ一致しているか判断するので、画像記録媒体（メモリカード）とプリント生産物およびプリント収納袋とが対応しているか否かの確認が容易で確実であり、画像記録媒体の取り違いを防止できる。
【発明を実施するための最良の形態】
【００１７】
本発明に係わる実施の形態のプリント生産方法およびプリント生産システムについて説明する。まず、プリント生産システムの全体構成について説明する。図１に、本発明を適用した実施の形態のプリント生産システム１の全体構成を示す。
【００１８】
図１に示すように、プリント生産システム１は、受付処理機４０、プリント収納袋処理機７０さらにプリント生産装置８０から構成される。
【００１９】
受付処理機４０はプリントの注文受付、画像記録媒体であるメモリカードＭの画像データの読み取り、メモリカードＭに設けられた情報記録部の画像記録媒体識別情報の読み取り、メモリカードＭとプリント生産物Ｓとの照合等を行う。
【００２０】
また、プリント収納袋処理機７０はプリント収納袋Ｂに設けられれた情報記録部のプリント収納袋識別情報（プリント収納袋ＩＤともいう）の読み取り、顧客からの注文情報の印刷を行う。
【００２１】
さらに、プリント生産装置８０はプリント注文に応じてプリント生産物Ｓを生産する。なお、受付処理機４０、プリント収納袋処理機７０およびプリント生産装置８０は、ケーブルＬを介して相互に情報の送受信が可能に接続されている。
【００２２】
次に、画像記録媒体であるメモリカードＭについて説明する。図２に、画像記録媒体であるメモリカードの外観平面図を示す。図２に示すように、メモリカードＭは画像を記録する記録媒体であり、非接触で電子情報の読み書きが可能な情報記憶部であるＩＣタグ１０が設けられている。ＩＣタグ１０には、固有に付与された画像記録媒体識別情報（単に画像記録媒体ＩＤともいう）が記憶されている。画像記録媒体ＩＤとしては、例えば、「ＭＣ５」、「ＭＣ６」・・等が固有に付与されている。これにより、メモリカードＭが特定できるようになる。「ＭＣ」は画像記録媒体を意味し、「５」、「６」は識別番号を意味する。後述するＩＣタグリーダライタ５０（図３参照）によりＩＣタグ１０に記録されている画像記録媒体ＩＤを読みとる。ＩＣタグ１０は、メモリセルが半導体不揮発メモリ、強誘電体メモリ、または磁気メモリである。
【００２３】
次に、受付処理機４０について詳しく説明する。図３に受付処理機４０における構成の正面図を示す。図３に示すように、受付処理機４０は、キーボード４１、マウス４２、表示部４３、メモリカード挿入口４４、メモリカード読取部４６、アラームで警告する警告手段４７、ＩＣタグリーダライタ５０、読取手段である外付ＩＣタグリーダライタ６０から構成されている。
【００２４】
受付処理機４０は、顧客からのプリントの注文受付、画像記録媒体ＩＤの読み取り、メモリカードＭの画像データの読み取り、メモリカードＭとプリント生産物Ｓ、プリント収納袋Ｂの照合等を行う。
【００２５】
プリントの注文受付は、オペレータが顧客より注文情報、個人情報を聞き取り、受付処理機４０のキーボード４１、マウス４２により入力する。
【００２６】
また、メモリカードＭの画像データの読み取りは、メモリカードＭをメモリカード挿入口４４より装填し、メモリカード読取部４６によりメモリカードＭに記録されている画像データを読み取る。
【００２７】
ＩＣタグ１０に記録されている画像記録媒体ＩＤは、メモリカードＭがメモリカード挿入口４４より装填された際に、ＩＣタグリーダライタ５０により読み取られる。
【００２８】
照合処理は、メモリカードＭ、プリント収納袋Ｂ、プリント生産物Ｓの各識別情報（各ＩＤ）を読取手段である外付ＩＣタグリーダライタ６０により読み取り照合処理を行うが、詳しくは後述する。
【００２９】
次に、プリント収容袋Ｂについて説明する。図４に、プリント収納袋Ｂにける外観正面図を示す。図４に示すように、プリント収容袋Ｂは、プリント生産されたプリント生産物およびメモリカードＭが収容可能である。
【００３０】
また、プリント収容袋ＢにはＩＣタグ２０が設けられ、ＩＣタグ２０には、プリント収納袋Ｂを特定するためのプリント収納袋識別情報（単にプリント収納袋ＩＤともいう）が固有に付与されている。
【００３１】
また、プリント収納袋Ｂの表面には、図４に示すＢ１箇所に注文情報、個人情報が印刷される。その印字内容は、プリント注文の受付日、プリント生産物を顧客に渡す予定日、プリント枚数、プリントサイズ、プリント種類、プリント料金、加工方法、プリント料金の支払い方法、プリント生産物の受取方法、また、プリント注文者（顧客）の氏名、電話番号、メールアドレス等である。
【００３２】
次に、プリント収納袋処理機７０について詳しく説明する。図５にプリント収納袋処理機における構成の正面図を示す。図５に示すように、プリント収納袋処理機７０は、プリント収納袋給紙トレイ７１、ＩＣタグリーダライタ７２、印字部７３から構成されている。
【００３３】
プリント収納袋給紙トレイ７１は複数のプリント収納袋Ｂが収納できるようになっている。ＩＣタグリーダライタ７２はプリント収納袋Ｂに予め設けられたＩＣタグ２０に固有に付与されたプリント収納袋ＩＤを読み取る。印字部７３は例えばインクジェット方式で前述の注文情報、個人情報をＢ１箇所（図４参照）に印字するようになっている。
【００３４】
プリント収納袋処理機７０の主な動作を説明する。プリント収納袋Ｂはプリント収納袋給紙トレイ７１から１部ずつ送り出され、ＩＣタグリーダライタ７２によりプリント収納袋ＩＤが読み取られ、さらに印字部７４で注文情報、個人情報が印字されるようになっている。
【００３５】
次に、プリント生産装置の説明に先立ち、まず、プリント生産に用いられるプリント用ペーパーＰについて説明する。図６に、プリント用のロールペーパーの斜視図を示す。図６に示すように、ペーパーＰは、支持体層とハロゲン化銀等の感光材料からなる感光層とから構成されたシート状のペーパーがロール形成されたものである。
【００３６】
ペーパーＰには、情報を記録する情報記録部であるＩＣタグ３０が幅方向の中央部に、所定間隔、例えば、サービスサイズの短辺間隔毎に組み込まれている。なお、ＩＣタグ３０の組み込みは、ペーパーＰにプリントされる画像に影響しなければ特にその組み込み方法は限定せず、支持体層側に貼付、或いは感光層と支持体層との間に挟み込むこととしてもよい。
【００３７】
ＩＣタグ３０には、プリント生産物を識別するプリント生産物識別情報（単にプリント生産物ＩＤともいう）が付与されている。ＩＣタグ３０はその機能的構成は上述したＩＣタグ１０と同一であるので説明を省略する。
【００３８】
次に、プリント生産装置８０について説明する。図７はプリント生産装置８０の正面内部透視図である。図７に示すように、プリント生産装置８０は、注文情報に基づいてオペレータによりプリント指示された画像情報のプリント生産を行い、プリント生産物Ｓを生成するものである。以下、感光材料への露光現像を行うことによりプリント生産物Ｓとして写真を出力する例で説明する。
【００３９】
プリント生産装置８０は、ＣＰＵ８１、露光装置８２、現像装置８３、ソータ８４等を備えて構成される。なお、図７において点線で示す搬送ルートＲは、プリント用のペーパーＰが搬送される経路を示している。
【００４０】
ＣＰＵ８１は、注文情報に基づいて、記録された画像データに各種画像処理を行い、露光用画像情報を生成して露光装置８２に出力する。なお、図示しないカッターはペーパーＰを切断する。切断済みのペーパーＰは、露光装置に搬送される。
【００４１】
露光装置８２では、ＩＣタグリーダライタ８２ａが情報記録部であるＩＣタグ３０（図６参照）のプリント生産物ＩＤを読みとる。露光装置には、青色用露光ヘッド、緑色用露光ヘッド、赤色用露光ヘッドとが、露光時の主走査方向がペーパーＰの搬送方向に対して垂直になるようにそれぞれ設けられている。露光処理されたペーパーＰは、現像装置８３に搬送される。また、現像装置８３は、発色現像処理槽、漂白定着処理槽、安定化処理部および乾燥処理部とを有する。乾燥処理されたペーパーＰは、プリント生産物Ｓとしてソータ８４に送出される。さらに、ソータ８４は、複数の排紙トレイを有し、現像装置８３から送出されたプリント生産物Ｓの仕分けを行って各排紙トレイに排出するようになっている。
【００４２】
次に、プリント生産物Ｓについて説明する。図８にプリント生産物Ｓの外観を示す。図８に示すように、プリント生産物Ｓは表面に画像が生成され、ＩＣタグ３０が組み込まれている。
【００４３】
次に、前述の外付ＩＣタグリーダライタ６０について詳しく説明する。図９に、外付ＩＣタグリーダライタ６０がプリント収納袋ＩＤ、メモリカードＩＤ、プリント生産物ＩＤを読み取る状態を示す。外付ＩＣタグリーダライタ６０は、前述のＩＣタグリーダドライタ５０（図３）と構造は同じである。外付ＩＣタグリーダライタ６０はプリント収納袋ＢのＩＣタグ２０からプリント収納袋ＩＤを読み取り、また、メモリカードＭのＩＣタグ１０からメモリカードＩＤを読み取り、さらに、プリント生産物ＳのＩＣタグからプリント生産物ＩＤを読み取るようになっている。
【００４４】
次に、実施の形態に係わるプリント生産システムの電気的構成について説明する。図１０に、プリント生産システムの電気的な全体構成のブロック図を示す。図１０に示すように、プリント生産システムの電気的構成９０は、受付処理機の電気関係ブロック９０Ａ、プリント収納袋処理機の電気関係ブロック９０Ｂ、およびプリント生産装置の電気関係ブロック９０Ｃで構成されている。
【００４５】
最初に、受付処理機の電気関係ブロック９０Ａは、制御部９１、メモリ部９２、メモリカード読取部４６、ＩＣタグリーダライタ５０、表示部４３、警告手段４７、キーボード４１、マウス４２、さらに外付ＩＣタグリーダライタ６０で構成されている。前述のメモリ部９２は、さらに第１メモリ９２１、第２メモリ９２２、第３メモリ９２３、第４メモリ９２４で構成されている。第１メモリ９２１には画像記録媒体ＩＤ、プリント生産物ＩＤ、プリント収納袋ＩＤが記憶されている。第２メモリ９２２には、読み取られた画像記録媒体ＩＤ、プリント生産物ＩＤ、プリント収納袋ＩＤが格納されている。また、制御部９１は、第１メモリ９２１と第２メモリ９２２との内容を比較し、それぞれ一致しているか判断する判別手段を有している。
【００４６】
警告手段４７は、判別手段において、一致していない場合は、アラームで警告する。なお、この警告は表示部４３にも表示される。
【００４７】
外付ＩＣタグリーダライタ６０は、ＩＣタグリーダライタ５０と同様の構成であり、メモリカードＭ、プリント生産物Ｓ、プリント生産物Ｓを照合するときに用いられ、それぞれのＩＤを読み取る。
【００４８】
また、プリント収納袋処理機の電気関係ブロック９０Ｂは、ＩＣタグリーダライタ７２、印字部７３で構成されている。ＩＣタグリーダライタ７２は、ＩＣタグリーダライタ５０と同様の構成であり、プリント収納袋Ｂに設けられたＩＣタグ２０のプリント収納袋ＩＤを読みとる。印字部７３はプリント収納袋Ｂに注文情報、個人情報を印字する。
【００４９】
さらに、プリント生産装置の電気関係ブロック９０Ｃは、ＣＰＵ８１、ＩＣタグリーダライタ８２ａ等で構成されている。ＣＰＵ８１はプリント生産装置の全体を制御する。ＩＣタグリーダライタ８２ａは、ＩＣタグリーダライタ５０と同様の構成であり、プリント生産物ＳにあるＩＣタグ３０のプリント生産物ＩＤを読み取る。
【００５０】
次に、前述のＩＣタグ１０とＩＣタグリーダライタ５０について詳しく説明する。図１１にＩＣタグ１０の電気的構成を示し、図１２にＩＣタグリーダライタ５０の電気的構成を示す。図１１に示すように、ＩＣタグ１０は、アンテナ１１、送受信回路１２、電源回路１３、制御回路１４、メモリ１５から構成される。本実施の形態では、ＩＣタグ１０の通信方式として、電磁誘導方式を適用した例を説明するが、電磁結合方式、マイクロ波方式、光方式等、その他の通信方式であってもよい。アンテナ１１は、ループアンテナを備え、ＩＣタグリーダライタから送信された電波信号を受信し、受信した信号を送受信回路に出力する。また、送受信回路１２からの入力信号をＩＣタグリーダライタに送信する。送受信回路１２は、アンテナ１１からの入力信号を復調して制御回路に出力する。また、制御回路１４からの入力信号を変調増幅し、アンテナ１１に出力する。電源回路１３は、アンテナ１１を介して受付処理機から受信した電波を電圧に変換し、ＩＣタグへの各部への電源供給を行う。制御回路１４は、送受信回路１２からの入力信号に応じて、メモリ１５への情報の書き込み（記録）動作を行う。また、制御回路１４は、メモリ１５に記録された情報の読み出し動作を行い、読み出した情報（信号）の変調増幅を指示する信号を送受信回路１２に出力する。メモリ１５には、メモリカードＭの画像記録媒体ＩＤが記録され、後述するＩＣタグリーダライタ５０により画像記録媒体ＩＤが読みとられる。
【００５１】
図１２に示すように、ＩＣタグリーダライタ５０は、アンテナ５１、送受信回路５２、制御回路５３、Ｉ／Ｆ５４から構成される。アンテナ５１は、ＩＣタグから送信された電波信号を受信し、受信した信号を送受信回路５２に出力する。また、送受信回路５２からの入力信号をＩＣタグ１０に送信する。送受信回路５２は、アンテナ５１からの入力信号を復調して制御回路５３に出力する。また、制御回路５３からの入力信号を変調増幅し、アンテナ５１に出力する。制御回路５３は、送受信回路５２からの入力信号とともに、当該入力信号を受付処理機４０に送信するよう指示する指示信号をＩ／Ｆ５４に出力する。Ｉ／Ｆ５４は、受付処理機４０と情報の送受信を行うためのインターフェイスである。また、Ｉ／Ｆ５４を介して受付処理機４０から入力されたＩＣタグ１０に送信する信号とともに、当該信号の変調増幅を指示する信号を送受信回路５２に出力する。
【００５２】
次に、前述のメモリ部９２の第１メモリ９２１について詳しく説明する。図１３に、第１メモリ９２１のデータ格納例を示す。図１３に示すように、記憶手段である第１メモリ９２１は、注文番号（例えば、２３）、画像記録媒体ＩＤ（例えば、ＭＣ５）、プリント収納袋ＩＤ（例えば、ＥＶ８）、画像ファイル名（例えば、ｐｉｃｔ０００１．ｊｐｇ）、およびプリント生産物ＩＤ（例えば、Ｐ１００４）とが、関連付けて格納される。
【００５３】
次に、前述のメモリ部９２の第２メモリ９２２について詳しく説明する。図１４に第２メモリ９２２のデータ格納例を示す。図１４に示すように、第２メモリ９２２は、読取工程で読み取った画像記録媒体ＩＤ、プリント収納袋ＩＤ、プリント生産物ＩＤがそれぞれ一時的に格納される。
【００５４】
次に、表示部４３（図１０）について説明する。表示部４３は、顧客からの注文受付での表示、判別工程での判別状態等が表示される。図１５に受付処理機の表示手段に表示される画面例を示す。図１５に示すように、表示画面４３Ｇには、第１メモリ９２１と第２メモリ９２２の比較に基づいてその判別結果が具体的内容とともに表示される。この例では、例えば、本来とは異なるメモリカードを誤って袋に入れた場合であって、画像記録媒体ＩＤが一致しないために不一致であることが警告表示されている。
【００５５】
次に、実施の形態に係わるプリント生産システムの生産過程について説明する。
【００５６】
図１６は、実施の形態に係わるプリント生産システムの作業工程を示すフローチャートである。
【００５７】
ステップＳＰ０１では、顧客より注文を受け付ける。
ステップＳＰ０２では、メモリカードＭにＩＣタグ１０を貼り付け、メモリカードＭを受付処理機４０に装填し、ＩＣタグにプリントの注文情報、個人情報を入力する（図３参照）。
ステップＳＰ０３では、プリント収納袋Ｂに注文情報、個人情報を印刷する（図４、図５参照）。
ステップＳＰ０４では、メモリカードＩＤとプリント収納袋ＩＤを第１メモリに記憶させる（記憶工程、図１０、図１３参照）。
ステップＳＰ０５では、プリント生産装置８０でプリント生産を実行させる（図７参照）。
ステップＳＰ０６では、プリント生産に伴ってプリント生産物ＩＤが第１メモリに記憶される（記憶工程、図６、７参照）。
ステップＳＰ０７では、外付ＩＣタグリーダライタ６０により、メモリカードＩＤ、プリント生産物ＩＤ、プリント収納袋ＩＤを読み取る。その結果は第２メモリに記憶させる。（読取工程、図９参照）。
ステップＳＰ０８では、モニタ表示で対応しているか確認し、対応していればここで終了し、対応していなければステップＳＰ０９に進む。
ステップＳＰ０９では、作業を確認し、他の組み合わせに変更する。以上が、プリント生産システムの作業工程である。
【００５８】
次に、実施の形態に係わるプリント生産システムの制御の流れについて説明する。図１７に、注文受付からプリント生産までの制御の流れのフローチャートを示し、図１８に、メモリカード、プリント生産物、プリント収納袋の判別関係の制御の流れのフローチャートを示す。
【００５９】
最初に、図１７に示すように、ステップＳＰ２１では、受付処理機４０にメモリカードＭが装着されているか調べられ、装着されているとステップＳＰ２２に進み、装着されていない場合はステップＳＰ２１を繰り返す。
ステップＳＰ２２では、メモリカードＭに個人情報が記憶されているかどうか調べられ、記録されていればステップＳＰ２４に進み、記憶されていなければステップＳＰ２３に進み個人情報を入力し記録する。
ステップＳＰ２４では、受付処理機４０のキーボード４１、マウス４２を使用して顧客からの注文情報を入力する（図３参照）。
ステップＳＰ２５では、この注文情報をメモリ部９２の第３メモリ９２３に記憶する（図１０参照）。
ステップＳＰ２６では、ＩＣタグリーダライタ５０によりメモリカードＩＤを第１メモリ９２１に記憶する（図１０、１３参照）。
ステップＳＰ２７では、ＩＣタグリーダライタ７２によりプリント収納袋ＩＤを第１メモリ９２１に記憶する（図１０）。
ステップＳＰ２８では、プリント収納袋Ｂに、第３メモリ９２３に記憶された注文情報、個人情報を印刷する（図４参照）
ステップＳＰ２９では、メモリカードＭの画像データをメモリ部９２の第４メモリ９２４に記憶する（図１０参照）。
ステップＳＰ３０では、ジョブが終わりか判断し、終わりの場合はステップＳＰ３１に進み、ジョブがまだある場合はステップＳＰ２１に戻る。
ステップＳＰ３１では、ＩＣタグリーダライタ８２ａでプリント生産物ＩＤをメモリ部９２の第１メモリ９２１に記憶する（図１０、１３参照）。
ステップＳＰ３２では、プリント生産物Ｓの生成を指示し生成する（図７参照）。
ステップＳＰ３３では、プリント生産物Ｓの生成が終了しているか判断し、終了していなければステップＳＰ３１に戻り、終了していればここでを終了する。
【００６０】
次に、メモリカード、プリント生産物、プリント収納袋の照合（判別）関係の制御の流れについて説明する。図１８に示すように、ステップＳＰ４１では、外付ＩＣタグリーダライタ６０によりメモリカードＩＤを読み取り、第２メモリ９２２に記憶する（読取工程、図１４参照）。
ステップＳＰ４２では、外付ＩＣタグリーダライタ６０によりプリント収納袋ＩＤを読み取り、第２メモリ９２２に記憶する（読取工程、図１４参照）。
ステップＳＰ４３では、外付ＩＣタグリーダライタ６０によりプリント生産物ＩＤを読み取り、第２メモリ９２２に記憶する（読取工程、図１４参照）。
ステップＳＰ４４では、メモリカードＭに係わる第１メモリ９２１と第２メモリ９２２のデータが対応しているか判別し、対応していればステップＳＰ４５に進み、対応していないとステップＳＰ４９に進む（判別工程）。
ステップＳＰ４５では、プリント収納袋Ｂに係わる第１メモリ９２１と第２メモリ９２２のデータが対応しているか判断し、対応していればステップＳＰ４６に進み、対応していないとステップＳＰ４９に進む（判別工程）。
ステップＳＰ４６では、プリント生産物Ｓの第１メモリ９２１と第２メモリ９２２のデータが対応しているか判断し、対応していればステップＳＰ４８に進み、対応していないとステップＳＰ４９に進む（判別工程）。
ステップＳＰ４７では、対応していることを表示部４３に表示する（図３参照）。
ステップＳＰ４８では、メモリ部９２の第１メモリ９２１、第２メモリ９２２のデータを消去する（図１３、図１４参照）。
ステップＳＰ４９では、対応していないことを表示部４３に警告表示し、警告手段４７でブザーを鳴らす（図３参照）。以上が、メモリカードＭ、プリント生産物Ｓ、プリント収納袋Ｂの照合（判別）関係の制御の流れである。
【００６１】
以上の説明のように、画像記録媒体（メモリカード）、プリント収納袋およびプリント生産物が対応しているか否かの確認が容易で確実であり、画像記録媒体の取り違いを防止できるようになる。
【００６２】
実施の形態における記述内容は、本発明を適用した一例であり、これに限定されるものではない。例えば、実施の形態では画像記録媒体の識別情報である画像記録媒体ＩＤは、画像記録媒体に設けられたＩＣタグに固有に付与された識別情報を用いたが、ＩＣタグに識別情報を書き込み、この識別情報を用いても同様である。
【００６３】
また、実施の形態では、メモリカードＭ、プリント生産物Ｓ、プリント収納袋Ｂの３つの照合について説明したが、メモリカードＭとプリント生産物Ｓ、またはメモリカードＭとプリント収納袋Ｂの２つの照合であっても同様である。
【図面の簡単な説明】
【００６４】
【図１】本発明を適用した実施の形態のプリント生産システムの全体システム構成を示す図である。
【図２】画像記憶媒体であるメモリカードの外観平面図である。
【図３】受付処理機における構成の正面図である。
【図４】プリント収納袋における外観の正面図である。
【図５】プリント収納袋処理機における構成の正面図である。
【図６】プリント用のペーパーの斜視図である。
【図７】プリント生産装置の正面内部透視図である。
【図８】プリント生産物の外観図である。
【図９】プリント収納袋、メモリカード、プリント生産物の識別情報を読み取る状態を示す図である。
【図１０】プリント生産システムの電気的な全体構成のブロック図である。
【図１１】ＩＣタグの電気的構成を示す図である。
【図１２】ＩＣタグリーダライタの電気的構成を示す図である。
【図１３】第１メモリのデータ格納例を示す図である。
【図１４】第２メモリのデータ格納例を示す図である。
【図１５】受付処理機の表示手段に表示される画面の例である。
【図１６】実施の形態に係わるプリント生産システムの作業工程を示すフローチャートである。
【図１７】注文受付からプリント生産までの制御の流れを説明するフローチャートである。
【図１８】メモリカード、プリント生産物、プリント収納袋の判別関係の制御の流れを説明するフローチャートである。
【符号の説明】
【００６５】
１  プリント生産システム
１０、２０、３０  ＩＣタグ
４０  受付処理機
５０、７２  ＩＣタグリーダライタ
６０  外付ＩＣタグリーダライタ
７０  プリント収納袋処理機
８０  プリント生産装置
９１  制御部
９２  メモリ部
９２１  第１メモリ
９２２  第２メモリ
Ｍ  メモリカード（画像記録媒体）
Ｂ  プリント収納袋
Ｓ  プリント生産物
【図１】
2006349900.tif 000003
【図２】
2006349900.tif 000004
【図３】
2006349900.tif 000005
【図４】
2006349900.tif 000006
【図５】
2006349900.tif 000007
【図６】
2006349900.tif 000008
【図７】
2006349900.tif 000009
【図８】
2006349900.tif 000010
【図９】
2006349900.tif 000011
【図１０】
2006349900.tif 000012
【図１１】
2006349900.tif 000013
【図１２】
2006349900.tif 000014
【図１３】
2006349900.tif 000015
【図１４】
2006349900.tif 000016
【図１５】
2006349900.tif 000017
【図１６】
2006349900.tif 000018
【図１７】
2006349900.tif 000019
【図１８】
2006349900.tif 000020